(57)【要約】【課題】特定の機能を迅速に実行させたいユーザと、実行前にその特定の機能の内容を画面上で確認したいユーザと、の双方にとって使い勝手のよい表示制御装置を提供する。【解決手段】待機画面２１に表示されるショートカットアイコンは、第１のショートカットアイコン又は第２のショートカットアイコンに設定される。第１のショートカットアイコンは、選択操作されると、さらに特定の入力操作が行われることなく、対応付けられているショートカット機能が実行されるように設定されている。第２のショートカットアイコンは、選択操作されると、さらに特定の入力操作が行われることに応じて、対応付けられているショートカット機能が実行されるように設定されている。ショートカットアイコンが表示されている待機画面２１において、切替ボタン５０が選択操作されると、ショートカットアイコンの種類が切り替わる。【選択図】図３
2019179380.tif 000002
【特許請求の範囲】
【請求項１】
表示部と、
入力部と、
制御部と、
を備えた表示制御装置であって、
前記制御部は、
少なくとも１つのショートカットアイコンを含む選択画面を前記表示部に表示させる第１の表示処理を実行し、
前記少なくとも１つのショートカットアイコンは、第１のショートカットアイコン又は第２のショートカットアイコンに設定され、
前記第１のショートカットアイコン及び前記第２のショートカットアイコンには、特定の機能を特定の実行条件で実行させるショートカット機能が対応付けられ、
前記第１のショートカットアイコンは、前記入力部を介して前記第１のショートカットアイコンが選択操作された後、前記入力部を介して特定の入力操作が行われることなく、対応付けられている前記ショートカット機能が実行されるよう設定され、
前記第２のショートカットアイコンは、前記入力部を介して前記第２のショートカットアイコンが選択操作された後、さらに前記入力部を介して前記特定の入力操作が行われることに応じて、対応付けられている前記ショートカット機能が実行されるよう設定されており、
前記制御部は、さらに、
前記第１のショートカットアイコン又は前記第２のショートカットアイコンを含む前記選択画面が表示されている前記表示部に、切替ボタンを表示させる、第２の表示処理と、
前記切替ボタンが前記入力部を介して選択操作されることに応じて実行する切替処理であって、第１の切替処理及び第２の切替処理のうちの少なくとも一方を含み、前記第１の切替処理は、前記選択画面に含まれている前記第１のショートカットアイコンを前記第２のショートカットアイコンに切り替えることを含み、前記第２の切替処理は、前記選択画面に含まれている前記第２のショートカットアイコンを前記第１のショートカットアイコンに切り替えることを含む、前記切替処理と、
を実行する、表示制御装置。
【請求項２】
請求項１に記載の表示制御装置であって、
前記第２の表示処理は、前記表示部に表示されている前記選択画面に第１のショートカットアイコン及び第２のショートカットアイコンのどちらが表示されているのかに応じて意匠が異なる前記切替ボタンを表示させる、
表示制御装置。
【請求項３】
請求項１又は請求項２に記載の表示制御装置であって、
前記制御部は、さらに、
前記切替処理の実行後、前記切替処理による切り替え対象の前記ショートカットアイコンが前記選択操作されることなく特定の時間経過することに応じて、前記切り替え対象のショートカットアイコンを、前記切替処理の実行前の前記ショートカットアイコンに切り替える復帰処理、
を実行する、表示制御装置。
【請求項４】
請求項３に記載の表示制御装置であって、
前記制御部は、さらに、
前記切替処理の実行後、前記切替処理による切り替え対象の前記ショートカットアイコンが前記選択操作されることにより対応する前記ショートカット機能が実行された場合、前記ショートカット機能の実行後、前記ショートカット機能の実行前に前記表示部に表示されていた前記選択画面及び前記切替ボタンを表示させる再表示処理、
を実行し、
前記復帰処理は、前記再表示処理の実行後、前記切替処理による切り替え対象の前記ショートカットアイコンが前記選択操作されることなく前記特定の時間経過することに応じて、前記切り替え対象のショートカットアイコンを、前記切替処理の実行前の前記ショートカットアイコンに切り替えるよう構成されている、
表示制御装置。
【請求項５】
請求項１〜請求項４の何れか１項に記載の表示制御装置であって、
前記切替処理は、前記選択画面に前記第１のショートカットアイコン及び前記第２のショートカットアイコンが含まれている場合、前記第１の切替処理及び前記第２の切替処理を実行するよう構成されている、
表示制御装置。
【請求項６】
請求項１〜請求項４の何れか１項に記載の表示制御装置であって、
前記制御部は、さらに、
前記選択画面に前記第１のショートカットアイコン及び前記第２のショートカットアイコンが含まれている場合、前記切替ボタンが前記入力部を介して選択操作されることに応じて、前記第１のショートカットアイコン及び前記第２のショートカットアイコンのうち何れか１つを前記入力部を介して選択させる選択処理、
を実行し、
前記切替処理は、前記選択処理によって選択された前記ショートカットアイコンを切り替え対象として、前記第１の切替処理及び前記第２の切替処理のうち前記切り替え対象の前記ショートカットアイコンに応じた何れか一方を実行するよう構成されている、
表示制御装置。
【請求項７】
請求項１〜請求項６の何れか１項に記載の表示制御装置であって、
前記第１の表示処理は、それぞれ個別の前記選択画面が対応付けられた複数のタブと、選択状態にされている何れか１つの前記タブに対応付けられた前記選択画面とを前記表示部に表示させ、前記選択状態の前記タブが別の前記タブに切り替えられることに応じて、前記別のタブに対応付けられた前記選択画面を前記表示部に表示させるよう構成されており、
前記制御部は、さらに、
前記選択状態の前記タブが別の前記タブに切り替えられることに応じて、前記別のタブに対応付けられた前記選択画面に前記第１のショートカットアイコン又は前記第２のショートカットアイコンが含まれているか否か判断する判断処理、
を実行し、
前記第２の表示処理は、前記判断処理によって前記第１のショートカットアイコン又は前記第２のショートカットアイコンが含まれていると判断されることに応じて、前記切替ボタンを表示させるよう構成されている、
表示制御装置。
【請求項８】
請求項１〜請求項７の何れか１項に記載の表示制御装置であって、
前記第２の表示処理は、前記表示部に表示されている前記選択画面に複数の前記ショートカットアイコンが含まれていて、且つその複数のショートカットアイコンが少なくとも一組のショートカットペアのみを含んでいる場合は、前記切替ボタンを表示させないよう構成されおり、
前記ショートカットペアは、同じショートカット機能が対応付けられた１つの前記第１のショートカットアイコン及び１つの前記第２のショートカットアイコンを有する、
表示制御装置。
【請求項９】
表示部を備えた表示制御装置において用いられる表示制御方法であって、
少なくとも１つのショートカットアイコンを含む選択画面を前記表示部に表示させる第１の表示ステップを有し、
前記少なくとも１つのショートカットアイコンは、第１のショートカットアイコン又は第２のショートカットアイコンに設定され、
前記第１のショートカットアイコン及び前記第２のショートカットアイコンには、特定の機能を特定の実行条件で実行させるショートカット機能が対応付けられ、
前記第１のショートカットアイコンは、前記第１のショートカットアイコンが選択操作された後、特定の入力操作が行われることなく、対応付けられている前記ショートカット機能が実行されるよう設定され、
前記第２のショートカットアイコンは、前記第２のショートカットアイコンが選択操作された後、さらに前記特定の入力操作が行われることに応じて、対応付けられている前記ショートカット機能が実行されるよう設定されており、
さらに、
前記第１のショートカットアイコン又は前記第２のショートカットアイコンを含む前記選択画面が表示されている前記表示部に、切替ボタンを表示させる、第２の表示ステップと、
前記切替ボタンが選択操作されることに応じて実行する切替ステップであって、第１の切替ステップ及び第２の切替ステップのうちの少なくとも一方を含み、前記第１の切替ステップは、前記選択画面に含まれている前記第１のショートカットアイコンを前記第２のショートカットアイコンに切り替えることを含み、前記第２の切替ステップは、前記選択画面に含まれている前記第２のショートカットアイコンを前記第１のショートカットアイコンに切り替えることを含む、前記切替ステップと、
を有する、表示制御方法。
【請求項１０】
表示部と、
入力部と、
制御部と、
を備えた表示制御装置において、前記制御部が実行可能なプログラムであって、
前記制御部に、少なくとも１つのショートカットアイコンを含む選択画面を前記表示部に表示させる第１の表示処理を実行させ、
前記少なくとも１つのショートカットアイコンは、第１のショートカットアイコン又は第２のショートカットアイコンに設定され、
前記第１のショートカットアイコン及び前記第２のショートカットアイコンには、特定の機能を特定の実行条件で実行させるショートカット機能が対応付けられ、
前記第１のショートカットアイコンは、前記入力部を介して前記第１のショートカットアイコンが選択操作された後、前記入力部を介して特定の入力操作が行われることなく、対応付けられている前記ショートカット機能が実行されるよう設定され、
前記第２のショートカットアイコンは、前記入力部を介して前記第２のショートカットアイコンが選択操作された後、さらに前記入力部を介して前記特定の入力操作が行われることに応じて、対応付けられている前記ショートカット機能が実行されるよう設定されており、
前記制御部に、さらに、
前記第１のショートカットアイコン又は前記第２のショートカットアイコンを含む前記選択画面が表示されている前記表示部に、切替ボタンを表示させる、第２の表示処理と、
前記切替ボタンが前記入力部を介して選択操作されることに応じて実行する切替処理であって、第１の切替処理及び第２の切替処理のうちの少なくとも一方を含み、前記第１の切替処理は、前記選択画面に含まれている前記第１のショートカットアイコンを前記第２のショートカットアイコンに切り替えることを含み、前記第２の切替処理は、前記選択画面に含まれている前記第２のショートカットアイコンを前記第１のショートカットアイコンに切り替えることを含む、前記切替処理と、
を実行させる、プログラム。
【発明の詳細な説明】
【技術分野】
【０００１】
本発明は、ショートカット機能が対応付けられたショートカットアイコンを表示させる技術に関する。
【背景技術】
【０００２】
特許文献１には、１クリックスタートキーが押下された場合、さらなるユーザの入力操作を要することなく原稿の読み取りが開始されて、読み取られた原稿の画像が宛先へ送信される技術が開示されている。
【先行技術文献】
【特許文献】
【０００３】
【特許文献１】特開２００７−０６８０５３号公報
【発明の概要】
【発明が解決しようとする課題】
【０００４】
特許文献１に記載の技術は、１クリックスタートキーに対応付けられている機能を迅速に実行させたい場合には便利である。
一方、使用状況或いはユーザによっては、１クリックスタートキーに対応付けられている機能を実行させる際に、機能の内容を確認したい場合や、設定されている実行条件（例えば宛先）を一時的に変更したい場合なども生じ得る。しかし、特許文献１に記載の技術では、そのような要求に対応できない。
【０００５】
上記要求に応えるために、例えば、１クリックスタートキーが押下された場合、すぐに機能を実行させず、一旦、各種設定値を表示させて、その後さらにユーザの入力操作が行われた場合に、機能を実行させるようにすることが考えられる。しかし、そのような方法では、ユーザは、１クリックスタートキーを押下した後、さらに入力操作を行う必要があるため、機能を迅速に実行させたいユーザにとっては逆に不便である。
【０００６】
本発明は上記課題に鑑みなされたものであり、特定の機能を迅速に実行させたいユーザと、実行前にその特定の機能の内容を画面上で確認したいユーザと、の双方にとって使い勝手のよい表示制御装置を提供することを目的とする。
【課題を解決するための手段】
【０００７】
本発明の表示制御装置は、表示部と、入力部と、制御部とを備える。制御部は、第１の表示処理を実行する。第１の表示処理は、少なくとも１つのショートカットアイコンを含む選択画面を表示部に表示させる処理である。
【０００８】
前記少なくとも１つのショートカットアイコンは、第１のショートカットアイコン又は第２のショートカットアイコンに設定されている。第１のショートカットアイコン及び第２のショートカットアイコンには、特定の機能を特定の実行条件で実行させるショートカット機能が対応付けられている。
【０００９】
第１のショートカットアイコンは、入力部を介して第１のショートカットアイコンが選択操作された後、入力部を介して特定の入力操作が行われることなく、対応付けられているショートカット機能が実行されるよう設定されている。
【００１０】
第２のショートカットアイコンは、入力部を介して第２のショートカットアイコンが選択操作された後、さらに入力部を介して特定の入力操作が行われることに応じて、対応付けられているショートカット機能が実行されるよう設定されている。
【００１１】
制御部は、さらに、第２の表示処理と、切替処理とを実行する。
第２の表示処理は、第１のショートカットアイコン又は第２のショートカットアイコンを含む選択画面が表示されている表示部に、切替ボタンを表示させる処理である。
【００１２】
切替処理は、切替ボタンが入力部を介して選択操作されることに応じて実行する処理であり、第１の切替処理及び第２の切替処理のうちの少なくとも一方を含む。第１の切替処理は、選択画面に含まれている第１のショートカットアイコンを第２のショートカットアイコンに切り替えることを含む。第２の切替処理は、選択画面に含まれている第２のショートカットアイコンを第１のショートカットアイコンに切り替えることを含む。
【００１３】
このように構成された表示制御装置によれば、ユーザは、第１のショートカットアイコンを、第２のショートカットアイコンに切り替えて、登録されている特定の機能を実行させることができる。これにより、例えば、登録されている特定の機能の実行条件をユーザに確認させた上でその特定の機能を実行させることができるようになる。
【００１４】
逆に、第２のショートカットアイコンを、第１のショートカットアイコンに切り替えて、登録されている特定の機能を実行させることができる。これにより、ユーザは、もともと第２のショートカットアイコンに設定されていたショートカットアイコンに対応付けられている特定の機能を、さらなる入力操作を要求されることなく迅速に実行させることができる。
【００１５】
したがって、特定の機能を迅速に実行させたいユーザと、実行前にその特定の機能の内容を画面上で確認したいユーザと、の双方にとって使い勝手のよい表示制御装置を提供することが可能となる。
【図面の簡単な説明】
【００１６】
【図１】第１実施形態の画像処理装置の構成を示すブロック図である。
【図２】第１実施形態の画像処理装置の操作パネルを示す説明図である。
【図３】待機画面に表示されているショートカットアイコンがワンタッチショートカットアイコンのみ又は通常ショートカットアイコンのみである場合における画面遷移の一例を示す説明図である。
【図４】待機画面にワンタッチショートカットアイコン及び通常ショートカットアイコンが表示されている場合における画面遷移の一例を示す説明図である。
【図５】ショートカットペアが表示されている待機画面の一例を示す説明図である。
【図６】表示制御処理の一部を示すフローチャートである。
【図７】表示制御処理の他の一部（図６の続き）を示すフローチャートである。
【図８】表示制御処理のさらに他の一部（図６の続き）を示すフローチャートである。
【図９】第２実施形態における、ワンタッチ／通常ボタンがタップされた場合の画面遷移の一例を示す説明図である。
【図１０】第２実施形態における表示制御処理の一部を示すフローチャートである。
【発明を実施するための形態】
【００１７】
以下、本発明の実施形態について、図面を参照しながら説明する。
［１．第１実施形態］
（１−１）画像処理装置の構成
図１に示す本実施形態の画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、規定の複数の機能を備えている。
【００１８】
画像処理装置１０は、図１に示すように、制御部１１と、記憶部１２と、表示部１３と、入力部１４と、読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１９】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００２０】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００２１】
記憶部１２には、後述する待機画面２１（図２〜図５参照）を含む、表示部１３に表示させる各種画面のデータが記憶されている。また、記憶部１２には、後述する図６〜図８の表示制御処理のプログラムのプログラムも記憶されている。上記各機能を実行するためのプログラムは、表示制御処理のプログラムの一部として含まれていてもよいし、表示制御処理のプログラムとは別のプログラムであってもよい。
【００２２】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００２３】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２４】
なお、タッチパネル１４ａは、指示操作として接触のみ検出可能な構成であってもよいし、近接のみ検出可能な構成であってもよいし、接触及び近接の両方を検出可能な構成であってもよい。
【００２５】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２６】
制御部１１が検出可能な特定の操作としては、少なくとも、タップ操作がある。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２７】
読取部１５は、イメージセンサを備え、原稿の画像を読み取り、読み取った画像の画像データを生成する。読取部１５は、ＡＤＦを備えていてもよい。なお、ＡＤＦとは、自動原稿送り装置を意味する、Ａｕｔｏｍａｔｉｃ  Ｄｏｃｕｍｅｎｔ  Ｆｅｅｄｅｒの略称である。また、読取部１５は、原稿台或いはＡＤＦにセットされた原稿に対し、その両面の画像を読み取るいわゆる両面スキャンを実行可能に構成されていてもよい。
【００２８】
印刷部１６は、インクジェット技術や電子写真技術の印刷機構を有し、シート状の記録用紙に画像を印刷することが可能である。なお、印刷部１６は、記録用紙の両面に画像を印刷するいわゆる両面印刷を実行可能に構成されていてもよい。
【００２９】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００３０】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００３１】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００３２】
（１−２）操作パネルの構成
画像処理装置１０における、不図示の筐体の一側面には、図２に示す操作パネル３が設けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００３３】
電源ボタン５は、画像処理装置１０の電源をオン、オフさせるためにユーザにより操作されるハードキーである。電源ボタン５の押下により画像処理装置１０に電源が投入されて画像処理装置１０の動作が開始されると、制御部１１は、特定の初期化処理を行った後、表示部１３に待機画面２１を表示させる。ユーザは、その待機画面２１を起点として各種入力操作を行うことで、表示部１３に表示させる画面を切り替えたり、各種設定を行ったり、各種機能を実行させたりすることができる。
【００３４】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００３５】
戻りボタン７は、表示部１３の画面を現在表示されている画面の直前に表示されていた画面に戻すためにユーザに操作されるハードキーである。ホームボタン８は、表示部１３に待機画面２１を表示させるためにユーザに操作されるハードキーである。停止ボタン９は、処理中の動作を停止させるためにユーザにより操作されるハードキーである。
【００３６】
（１−３）待機画面の説明
待機画面２１は、複数のタブを有するタブ形式の画面である。複数のタブにはそれぞれ個別にタブ画面が対応付けられている。待機画面２１には、選択状態にされている１つのタブに対応したタブ画面が表示される。
【００３７】
記憶部１２には、タブ毎のタブ情報が記憶されている。各タブ情報は、対応するタブ画面に含まれる各種画像を示す情報や、対応するタブ画面が表示されている状態において入力部１４を介して各種入力操作が行われた場合に実行される処理を示す情報などを含む。
【００３８】
図２に示すように、本実施形態では、待機画面２１に最大４つのタブが表示される。なお、本実施形態では、タブの総数Ｎｔは、待機画面２１に同時に表示可能なタブの最大数である４よりも多い。図２は、待機画面２１に第１タブ３１、第２タブ３２、第３タブ３３及び第４タブ３４が表示されている例を示している。
【００３９】
各タブには、それぞれ、当該タブの名称が表示される。選択状態にされているタブは、他のタブとは異なる態様で表示される。他のタブとは異なる態様として、例えば、他のタブと異なる色にする、タブの大きさを他のタブよりも大きくする、タブに特定の装飾を加える、などが考えられる。図２は、タブ名が「基本機能１」の第１タブ３１が選択状態にされていて、第１タブ３１が他のタブとは異なる色で表示されている例を示している。
【００４０】
待機画面２１には、第１タブ〜第Ｎｔタブの全Ｎｔ個のタブそれぞれに対応した各タブ画面（第１タブ画面〜第Ｎｔタブ画面）のうち、選択状態にされている１つのタブに対応したタブ画面が表示される。図２は、選択状態にされている第１タブ３１に対応付けられている第１タブ画面４０が表示されている例を示している。
【００４１】
各タブ画面には、複数のアイコンが配置される。本実施形態では、１つのタブ画面に８個のアイコンが配置される。即ち、図２に示すように、第１タブ画面４０には、第１アイコン４１〜第８アイコン４８が配置される。各アイコンの具体的種類は、後述するように、変更することができる。
【００４２】
図２に例示する第１タブ画面４０においては、第１アイコン４１はファクスアイコンであり、第２アイコン４２はコピーアイコンであり、第３アイコン４３はスキャンアイコンであり、第４アイコン４４は未登録アイコンであり、第５アイコン４５は設定メニューアイコンであり、第６アイコン４６はセキュリティ印刷アイコンであり、第７アイコン４７は２ｉｎ１ＩＤコピーアイコンであり、第８アイコン４８は未登録アイコンである。
【００４３】
待機画面２１における、タブが表示される領域の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００４４】
現在表示されているタブ画面から他のタブ画面に切り替えたい場合は、切り替え先のタブ画面に対応したタブをタップすればよい。現在選択状態のタブ以外のタブをタップすると、そのタップしたタブが選択状態にされて、待機画面２１には、その新たに選択状態にされたタブに対応したタブ画面が表示される。
【００４５】
各タブ画面に配置される各アイコンには、それぞれ、特定の処理が対応付けられている。ユーザによりいずれかのアイコンがタップされると、そのアイコンに対応付けられている特定の処理が実行される。
【００４６】
待機画面２１のタブ画面に配置可能なアイコンには、大きく分類すると、三種類のアイコンがある。具体的に、機能実行用アイコンと、設定用アイコンと、未登録アイコンがある。機能実行用アイコンは、当該画像処理装置１０が有する上記規定の複数の機能のうち何れかの機能を実行させるための、その実行対象の機能が登録されたアイコンである。つまり、機能実行用アイコンには、登録されている機能を実現させるための特定の処理が対応付けられている。そして、機能実行用アイコンがタップされると、対応付けられている特定の処理が実行されることによって、登録されている機能が実現される。
【００４７】
設定用アイコンは、各種設定項目を設定するための、その設定対象の特定の項目あるいは複数の項目のリスト等が登録されたアイコンである。つまり、設定用アイコンには、各種設定項目を設定させるための特定の処理が対応付けられている。そして、設定用アイコンがタップされると、対応付けられている特定の処理が実行されることによって、各種設定項目の設定が実現される。
【００４８】
未登録アイコンは、機能及び設定項目等が何ら登録されていないアイコンであり、ユーザによって任意の機能或いは設定項目を新規に登録することが可能なアイコンである。つまり、未登録アイコンには、任意の機能の機能実行用アイコン或いは任意の設定項目の設定用アイコンを新規に登録させるための、ユーザの入力操作を伴う特定の処理が対応付けられている。そして、未登録アイコンがタップされると、当該未登録アイコンに対応付けられている特定の処理が実行されることによって、機能実行用アイコン或いは設定用アイコンとしての新規登録が実現される。
【００４９】
機能実行用アイコンは、さらに、規定機能アイコンと、ショートカットアイコンとの二種類に分類される。なお、「ショートカット」のことを、以下、「ＳＣ」と略称する。
規定機能アイコンは、当該画像処理装置１０が有するスキャン機能、印刷機能、コピー機能、ファクス機能、ウェブサービス機能、便利ツール機能などの規定の複数の機能のうち何れかを実行させるための、その実行対象の規定の機能が登録されたアイコンである。規定機能アイコンに登録されている各種設定値は、予め決められた規定値である。ただし、その規定値は、規定機能アイコンをタップして対応機能を実行させる際にユーザが確認、変更することができる。
【００５０】
ＳＣアイコンには、ＳＣ機能が登録されている。ＳＣ機能は、ユーザにより任意に登録される機能である。ＳＣ機能は、上記規定の複数の機能のうちユーザにより予め設定された特定の機能が、ユーザにより予め設定された特定の実行条件で実行されるように構成されている。
【００５１】
規定機能アイコン及び設定用アイコンの少なくとも一方は、画像処理装置１０の出荷時において、少なくとも１つのタブ画面において少なくとも１つ、予め配置されていてもよい。
【００５２】
ＳＣアイコンは、基本的には、当該画像処理装置１０の出荷時から予め配置されているアイコンではなく、未登録アイコンに対してユーザが任意に登録操作を行うことによって、その未登録アイコンに代わって配置されるアイコンである。登録操作には、実行させる特定の機能を設定する操作や、その特定の機能を実行させる際の特定の実行条件を設定する操作などが含まれる。また、特定の実行条件には、特定の機能が実行される際に必要となる各種設定項目の設定値が含まれる。例えば、スキャン機能のＳＣアイコンを登録する際には、スキャン機能における特定の実行条件として、例えば、原稿のサイズ、原稿を読み取る際の解像度などの各種の設定項目の設定値が含まれる。
【００５３】
つまり、規定機能アイコンは各設定値の初期値が予め決められているのに対し、ＳＣアイコンは、実行対象の機能、及びその機能をどのような設定値で実行させるか、などの各種の実行条件を、ユーザ自ら任意に設定、登録することができる。
【００５４】
ＳＣアイコンは、さらに、通常ＳＣアイコンと、ワンタッチＳＣアイコンとの二種類に分類される。通常ＳＣアイコンは、当該通常ＳＣアイコンがタップされた場合に、登録されているＳＣ機能がすぐに開始されるのではなく、ユーザによるさらに少なくとも１回の入力操作が要求されるように構成されたＳＣアイコンである。
【００５５】
本実施形態では、通常ＳＣアイコンがタップされると、所定の確認画面が表示される。ユーザは、その確認画面を介してＳＣ機能の設定値を確認したり変更したりすることができる。確認画面が表示された後、ユーザにより特定の実行開始操作が行われると、登録されているＳＣ機能が開始される。特定の実行開始操作は、例えば、確認画面に表示されるＯＫボタンをタップすることである。
【００５６】
図３の右上に示す待機画面２１において、第８アイコン４８は、通常ＳＣアイコンである。通常ＳＣアイコンには、通常ＳＣマーク５６が含まれる。ここで、通常ＳＣアイコンに、例えば、ファクス機能のＳＣ機能が登録されていることを想定する。この場合、この通常ＳＣアイコンがタップされると、登録されているＳＣ機能が実行される。
【００５７】
具体的に、登録されている機能がすぐに開始されるのではなく、まず、図３右下に示す確認画面１００が表示される。確認画面１００には、登録されているＳＣ機能の実行条件、例えばファクシミリ送信先番号１０１が表示される。ユーザは、確認画面１００を介して、登録されているＳＣ機能の各種設定値を確認することができる。
【００５８】
確認画面１００には、設定変更ボタン１０６が表示される。設定変更ボタン１０６がタップされると、登録されているＳＣ機能の実行条件を変更可能な画面に切り替わり、その画面を介して実行条件を一時的に変更できる。例えば、ファクシミリ送信先番号１０１を一時的に変更することができる。なお、一時的な変更ではなく、登録されているＳＣ機能の実行条件自体を恒久的に変更できてもよい。
【００５９】
確認画面１００には、スタートボタン１０７が表示される。スタートボタン１０７がタップされると、登録されているＳＣ機能が実行される。このとき、実行条件が一時的に変更されている場合は、その一時的に変更されている実行条件に従って機能が実行される。
【００６０】
図３の左に示す待機画面２１では、第８アイコン４８は、ワンタッチＳＣアイコンである。ワンタッチＳＣアイコンには、ワンタッチＳＣマーク５１が含まれる。このワンタッチＳＣアイコンがタップされると、ユーザによるさらなる入力操作を要することなく、登録されているＳＣ機能が実行される。
【００６１】
ユーザは、ＳＣアイコンを生成する際、即ち未登録アイコンにＳＣ機能を登録する際、通常ＳＣアイコンとして生成するか、それともワンタッチＳＣアイコンとして生成するか、を任意に選択することができる。
【００６２】
また、ユーザは、待機画面２１にＳＣアイコンが表示されている場合に、そのＳＣアイコンに含まれているマークに基づいて、そのＳＣアイコンがワンタッチＳＣアイコンなのかそれとも通常ＳＣアイコンなのかを認識することができる。
【００６３】
なお、各アイコンには、テキストを付加することができる。アイコンに付加されるテキストは、例えば、登録される機能に応じて予め決められている規定のテキストであってもよいし、ユーザが任意に決めることができてもよい。
【００６４】
（１−４）ＳＣアイコンの種別切り替え機能について
本実施形態の画像処理装置１０は、ＳＣアイコンの種別（以下、「ＳＣ種別」と称する）を、ユーザにより登録されたＳＣ種別（以下、「パーマネント種別」とも称する）から、一時的に別の種別（以下、「テンポラリ種別」とも称する）に切り替えることができるように構成されている。
【００６５】
即ち、例えばパーマネント種別がワンタッチＳＣアイコンであるＳＣアイコンを、一時的に通常ＳＣアイコンに切り替えることができる。この場合、切り替わった後の通常ＳＣアイコンのＳＣ種別はテンポラリ種別である。
【００６６】
逆に、パーマネント種別が通常ＳＣアイコンであるＳＣアイコンを、一時的にワンタッチＳＣアイコンに切り替えることができる。この場合、切り替わった後のワンタッチＳＣアイコンのＳＣ種別はテンポラリ種別である。
【００６７】
図３左に示すように、待機画面２１にワンタッチＳＣアイコンが含まれている場合は、待機画面２１における特定の位置（例えば右上端）に、ワンタッチボタン５０が表示される。
【００６８】
なお、図３左における、第８アイコン４８としてのワンタッチＳＣアイコンのＳＣ種別は、パーマネント種別である。つまり、ユーザによる登録時にワンタッチＳＣアイコンとして登録されたＳＣアイコンである。また、図４左における、第７アイコン４７としての通常ＳＣアイコンのＳＣ種別、及び第８アイコン４８としてのワンタッチＳＣアイコンのＳＣ種別は、いずれもパーマネント種別である。
【００６９】
図３右上に示すように、待機画面２１に通常ＳＣアイコンが含まれている場合は、待機画面２１における特定の位置（例えば右上端）に、通常ボタン５５が表示される。
図４に示すように、待機画面２１にワンタッチＳＣアイコン及び通常ＳＣアイコンが含まれている場合は、待機画面２１における特定の位置（例えば右上端）に、ワンタッチ／通常ボタン６０が表示される。
【００７０】
ワンタッチボタン５０、通常ボタン５５、及びワンタッチ／通常ボタン６０は、それぞれ、意匠が異なる。そのため、ユーザは、表示されているボタンを見ることによっても、どの種別のＳＣアイコンが表示されているのかを認識することができる。
【００７１】
また、これら各ボタン５０，５５，６０は、表示されているＳＣアイコンのＳＣ種別には依存せず、表示されているＳＣアイコンがワンタッチＳＣアイコンであるか通常ＳＣアイオンであるかに応じて表示される。
【００７２】
なお、複数のＳＣアイコンが表示されていてワンタッチＳＣアイコンと通常ＳＣアイコンの双方が含まれている場合であっても、それら複数のＳＣアイコンが１つ又は複数のＳＣペアのみである場合は、ワンタッチボタン５０、通常ボタン５５、及びワンタッチ／通常ボタン６０のいずれも表示されない。
【００７３】
ＳＣペアとは、１つのワンタッチＳＣアイコンと１つの通常ＳＣアイコンの組み合わせであって、登録されているＳＣ機能が同じであるものを意味する。つまり、登録されている特定の機能及び特定の実行条件が何れも同じであって、タップされた場合に実行される機能はいずれも同じであるものの、機能が開始されるまでの過程が異なるＳＣアイコンの組み合わせである。
【００７４】
図５は、全く同じＳＣ機能が第７アイコン４７及び第８アイコン４８に登録されているものの、第７アイコン４７は通常ＳＣアイコンであるのに対して第８アイコン４８はワンタッチＳＣアイコンである場合を例示している。この図５の例は、表示されている複数のＳＣアイコンが一組のＳＣペアのみである場合を例示している。このように複数のＳＣアイコンが一組以上のＳＣペアのみである場合は、図５に示すように、ワンタッチボタン５０、通常ボタン５５、及びワンタッチ／通常ボタン６０のいずれも表示されない。
【００７５】
図３左に示すように待機画面２１にワンタッチボタン５０が表示されている場合、ワンタッチボタン５０がタップされると、第８アイコン４８が、図３右上に示すように、パーマネント種別のワンタッチＳＣアイコンから、テンポラリ種別の通常ＳＣアイコンへ一時的に切り替わる。
【００７６】
ユーザは、ワンタッチボタン５０をタップすることで、ワンタッチＳＣアイコンを一時的に通常ＳＣアイコンに切り替えることができる。ユーザは、ワンタッチＳＣアイコンに登録されていているＳＣ機能を実行させる際に、一時的に通常ＳＣアイコンに切り替えることで、登録されている機能の種類や実行条件を確認したり、実行条件を一時的に変更したりすることができる。
【００７７】
ワンタッチボタン５０がタップされることによってパーマネント種別のワンタッチＳＣアイコンがテンポラリ種別の通常ＳＣアイコンに切り替わった後、その通常ＳＣアイコンがタップされることなく一定時間経過した場合は、パーマネント種別のワンタッチＳＣアイコンに切り替わる。
【００７８】
また、テンポラリ種別に切り替わった通常ＳＣアイコンがタップされると、前述のようにユーザによるさらなる入力操作を経て機能が実行されるが、その実行完了後は、実行開始直前の待機画面に戻る。即ち、第８アイコン４８として、引き続き、テンポラリ種別の通常ＳＣアイコンが表示される。そして、機能実行完了後、その通常ＳＣアイコンがタップされることなく一定時間経過した場合は、パーマネント種別のワンタッチＳＣアイコンに切り替わる。
【００７９】
なお、上記例とは逆に、パーマネント種別の通常ＳＣアイコンが表示されている場合に、通常ボタン５５がタップされると、パーマネント種別の通常ＳＣアイコンが、テンポラリ種別のワンタッチＳＣアイコンへ一時的に切り替わる。
【００８０】
この場合も、テンポラリ種別のワンタッチＳＣアイコンに切り替わった後、そのワンタッチＳＣアイコンがタップされることなく一定時間経過した場合は、パーマネント種別の通常ＳＣアイコンに切り替わる。
【００８１】
また、テンポラリ種別に切り替わったワンタッチＳＣアイコンがタップされると、前述のようにユーザによるさらなる入力操作を要することなく機能が実行されるが、その実行完了後は、実行開始直前の待機画面に戻る。即ち、テンポラリ種別のワンタッチＳＣアイコンが再表示される。そして、機能実行完了後、そのワンタッチＳＣアイコンがタップされることなく一定時間経過した場合は、パーマネント種別の通常ＳＣアイコンに切り替わる。
【００８２】
図４左に示すように、待機画面２１に、第７アイコン４７としてパーマネント種別の通常ＳＣアイコンが表示され、第８アイコン４８としてパーマネント種別のワンタッチＳＣアイコンが表示されている場合に、ワンタッチ／通常ボタン６０がタップされると、各ＳＣアイコンがテンポラリ種別に切り替わる。
【００８３】
具体的に、図４右に示すように、第７アイコン４７がパーマネント種別の通常ＳＣアイコンからテンポラリ種別のワンタッチＳＣアイコンへ切り替わり、第８アイコン４８がパーマネント種別のワンタッチＳＣアイコンからテンポラリ種別の通常ＳＣアイコンへ切り替わる。
【００８４】
これにより、ユーザは、第７アイコン４７に登録されているＳＣ機能については、入力操作を低減させて迅速に実行させることができ、逆に第８アイコン４８に登録されているＳＣ機能については、実行条件を確認したり必要に応じて一部変更したりした上で実行させることができるようになる。
【００８５】
ワンタッチ／通常ボタン６０がタップされることによってパーマネント種別のワンタッチＳＣアイコン及び通常ＳＣアイコンがそれぞれテンポラリ種別の異なるＳＣアイコンに切り替わった後、いずれのＳＣアイコンもタップされることなく一定時間経過した場合は、各ＳＣアイコンは元のパーマネント種別のＳＣアイコンに切り替わる。
【００８６】
また、テンポラリ種別に切り替わった各ＳＣアイコンの何れかがタップされると、そのタップされたＳＣアイコンが実行されるが、その実行完了後は、実行開始直前の待機画面に戻る。そして、機能実行完了後、いずれのＳＣアイコンもタップされることなく一定時間経過した場合は、各ＳＣアイコンは元のパーマネント種別のＳＣアイコンに切り替わる。
【００８７】
（１−５）表示制御処理
次に、上述したＳＣアイコンの切り替えを実現するために制御部１１により実行される表示制御処理について、図６〜図８を用いて説明する。制御部１１は、起動後、特定の初期化処理を行った後、図６〜図８に示す表示制御処理を実行する。
【００８８】
制御部１１は、表示制御処理を開始すると、Ｓ１１０で、選択状態にされているタブのタブ情報を記憶部１２から読み込む。Ｓ１２０では、Ｓ１１０で読み込んだタブ情報に基づき、選択状態にされているタブのタブ画面を含む待機画面２１を表示させる。
【００８９】
Ｓ１３０では、表示されている待機画面２１にＳＣアイコンが含まれているか否か判断する。Ｓ１３０で、ＳＣアイコンが含まれていない場合は、Ｓ２６０に移行する。Ｓ１３０で、ＳＣアイコンが含まれている場合は、Ｓ１４０に移行する。
【００９０】
Ｓ１４０では、待機画面２１に含まれているＳＣアイコンがワンタッチＳＣアイコンのみであるか否か判断する。ワンタッチＳＣアイコンのみである場合は、Ｓ１５０に移行する。
【００９１】
Ｓ１５０では、待機画面２１にワンタッチボタン５０を表示させる。Ｓ１６０では、ワンタッチボタン５０がタップされたか否か判断する。ワンタッチボタン５０がタップされていない場合は、Ｓ２６０に移行する。ワンタッチボタン５０がタップされた場合は、Ｓ１７０に移行する。
【００９２】
Ｓ１７０では、表示されているワンタッチＳＣアイコンを、通常ＳＣアイコンに切り替える。Ｓ１７０の処理では、パーマネント種別のワンタッチＳＣアイコンに対してはテンポラリ種別の通常ＳＣアイコンに切り替える処理が行われ、テンポラリ種別に切り替えられた状態のワンタッチＳＣアイコンに対してはパーマネント種別の通常ＳＣアイコンに切り替える処理が行われる。Ｓ１７０の処理により、待機画面２１に含まれるＳＣアイコンが全て通常ＳＣアイコンに切り替わる。
【００９３】
Ｓ１８０では、待機画面２１に表示されているワンタッチボタン５０を、通常ボタン５５に切り替える。
Ｓ１９０では、Ｓ１７０の処理においてパーマネント種別のワンタッチＳＣアイコンからテンポラリ種別の通常ＳＣアイコンに切り替えられたＳＣアイコンがある場合に、そのテンポラリ種別のＳＣアイコンの各々を対象として個別に計時を開始する。
【００９４】
Ｓ１４０で、待機画面２１に含まれているＳＣアイコンがワンタッチＳＣアイコンのみではない場合は、Ｓ２００に移行する。
Ｓ２００では、待機画面２１に含まれているＳＣアイコンが通常ＳＣアイコンのみであるか否か判断する。通常ＳＣアイコンのみである場合は、Ｓ２１０に移行する。
【００９５】
Ｓ２１０では、待機画面２１に通常ボタン５５を表示させる。Ｓ２２０では、通常ボタン５５がタップされたか否か判断する。通常ボタン５５がタップされた場合は、Ｓ２３０に移行する。
【００９６】
Ｓ２３０では、表示されている通常ＳＣアイコンを、ワンタッチＳＣアイコンに切り替える。Ｓ２３０の処理では、パーマネント種別の通常ＳＣアイコンに対してはテンポラリ種別のワンタッチＳＣアイコンに切り替える処理が行われ、テンポラリ種別に切り替えられた状態の通常ＳＣアイコンに対してはパーマネント種別のワンタッチＳＣアイコンに切り替える処理が行われる。Ｓ２３０の処理により、待機画面２１に含まれるＳＣアイコンが全てワンタッチＳＣアイコンに切り替わる。
【００９７】
Ｓ２４０では、待機画面２１に表示されている通常ボタン５５を、ワンタッチボタン５０に切り替える。
Ｓ２５０では、Ｓ２３０の処理においてパーマネント種別の通常ＳＣアイコンからテンポラリ種別のワンタッチＳＣアイコンに切り替えられたＳＣアイコンがある場合に、そのテンポラリ種別のワンタッチＳＣアイコンの各々を対象として個別に計時を開始する。
【００９８】
Ｓ２００で、待機画面２１に含まれているＳＣアイコンが通常ＳＣアイコンのみではない場合は、Ｓ３１０（図７参照）に移行する。
Ｓ３１０では、待機画面２１に含まれているＳＣアイコンがＳＣペアのみであるか否か判断する。ＳＣペアのみである場合は、Ｓ２６０（図６参照）に移行する。つまりこの場合、ワンタッチボタン５０、通常ボタン５５、及びワンタッチ／通常ボタン６０のいずれも表示されず、且つＳＣアイコンの一時的切り替えも受け付けない。
【００９９】
Ｓ３１０で、待機画面２１に含まれているＳＣアイコンがＳＣペアのみではない場合は、Ｓ３２０に移行する。Ｓ３２０では、待機画面２１にワンタッチ／通常ボタン６０を表示させる。Ｓ３３０では、ワンタッチ／通常ボタン６０がタップされたか否か判断する。ワンタッチ／通常ボタン６０がタップされていない場合は、Ｓ２６０（図６参照）に移行する。ワンタッチ／通常ボタン６０がタップされた場合は、Ｓ３４０に移行する。
【０１００】
Ｓ３４０では、表示されているワンタッチＳＣアイコン及び通常ＳＣアイコンの各々について、ワンタッチＳＣアイコンについては通常ＳＣアイコンに切り替え、通常ＳＣアイコンについてはワンタッチＳＣアイコンに切り替える。なお、これら各切り替えにおいても、パーマネント種別からテンポラリ種別への切り替え、及びテンポラリ種別からパーマネント種別への切り替えの双方が含まれ得る。
【０１０１】
Ｓ３５０では、Ｓ３４０の処理においてパーマネント種別の通常ＳＣアイコンからテンポラリ種別のワンタッチＳＣアイコンに切り替えられたＳＣアイコンがある場合に、そのテンポラリ種別のワンタッチＳＣアイコンの各々を対象として個別に計時を開始する。Ｓ３５０の処理後はＳ２６０（図６参照）に移行する。
【０１０２】
Ｓ２６０では、選択状態にされているタブのタブ情報を更新する。具体的に、Ｓ１７０，Ｓ２３０又はＳ３４０でＳＣアイコンの切り替えが行われた場合に、その切り替え後の待タブ画面の構成に合わせてタブ情報を更新する。
【０１０３】
なお、Ｓ１２０で待機画面２１を表示させた後、ＳＣアイコンの切り替えが行われることなくＳ２６０に移行してきた場合、即ちタブ画面の内容に変更がない場合は、Ｓ２６０では、現状のタブ情報をそのまま維持する。
【０１０４】
Ｓ２６０の処理後は、Ｓ４１０（図８参照）に移行する。Ｓ４１０では、待機画面２１に表示されている何れかのアイコンがタップされたか否か判断する。何れかのアイコンがタップされた場合は、Ｓ４２０に移行する。
【０１０５】
Ｓ４２０では、タップされたアイコンに応じたアイコン対応処理を実行する。具体的に、タップされたアイコンに対応付けられている処理を実行する。タップされたアイコンがＳＣアイコンである場合は、そのＳＣアイコンに登録されているＳＣ機能を実行する。このとき、ＳＣアイコンがワンタッチＳＣアイコンかそれとも通常ＳＣアイコンかに応じて、前述の通り、処理手順が一部異なる。
【０１０６】
Ｓ４２０によるアイコン対応処理の終了後、Ｓ４３０では、Ｓ４１０でタップされたアイコン（即ち、Ｓ４２０で実行されたアイコン対応処理が対応付けられているアイコン）が、テンポラリ種別のＳＣアイコンであるか否か判断する。テンポラリ種別のＳＣアイコンではない場合は、Ｓ１１０（図６参照）に移行する。テンポラリ種別のＳＣアイコンである場合は、Ｓ４４０に移行する。
【０１０７】
Ｓ４４０では、当該テンポラリ種別のＳＣアイコンに対して行われている計時を中止し、計時値を初期値に戻して、計時を再開する。Ｓ４４０で計時を再開した後は、Ｓ１１０（図６参照）に移行する。
【０１０８】
Ｓ４１０で、待機画面２１に表示されているアイコンがタップされていない場合は、Ｓ４５０に移行する。Ｓ４５０では、各タブのタブ情報に基づいて、各タブ画面のいずれかにテンポラリ種別のＳＣアイコンが存在しているか否か判断する。何れかのタブ画面にテンポラリ種別のＳＣアイコンが存在している場合は、Ｓ４６０に移行する。
【０１０９】
Ｓ４６０では、テンポラリ種別のＳＣアイコンの中で一定時間ユーザによるタップ等の操作が行われていないＳＣアイコンがあるか否か判断する。具体的に、テンポラリ種別のＳＣアイコン毎に個別に計時されている時間が一定時間に達したＳＣアイコンを、一定時間操作が行われていない無操作のＳＣアイコンであると判断する。
【０１１０】
一定時間操作が行われていないＳＣアイコンがある場合は、Ｓ４７０に移行する。Ｓ４７０では、Ｓ４６０で一定時間操作が行われていないと判断されたテンポラリ種別のＳＣアイコンを、パーマネント種別のＳＣアイコンに切り替える。Ｓ４７０の処理後は、Ｓ１１０（図６参照）に移行する。
【０１１１】
Ｓ４５０で、何れのタブ画面にもテンポラリ種別のＳＣアイコンが存在していない場合は、Ｓ４８０に移行する。また、Ｓ４６０で、一定時間操作が行われていないＳＣアイコンがない場合も、Ｓ４８０に移行する。
【０１１２】
Ｓ４８０では、ユーザによりタブの変更操作が行われたか否か判断する。即ち、選択状態にされていない何れかのタブがタップされたか否か判断する。タブの変更操作が行われていない場合は、Ｓ４１０に移行する。タブの変更操作が行われた場合は、現在選択状態にされているタブの選択状態を解除して、変更操作されたタブ、即ちタップされたタブを選択状態に設定して、Ｓ１１０（図６参照）に移行する。これにより、続くＳ１１０〜Ｓ１２０の処理においては、新たに選択状態にされたタブのタブ画面が待機画面２１に表示される。そして、その新たに表示されたタブ画面に対して、Ｓ１３０以降の処理が行われることになる。
【０１１３】
（１−６）第１実施形態の効果
以上説明した第１実施形態によれば、以下の（１ａ）〜（１ｄ）の効果を奏する。
（１ａ）ワンタッチＳＣアイコンを、一時的に通常ＳＣアイコンに切り替えて、登録されているＳＣ機能を実行させることができる。これにより、ユーザは、登録されているＳＣ機能を、その内容を確認した上で実行させることができる。
【０１１４】
また、この切り替えがパーマネント種別からテンポラリ種別への切り替えである場合は、恒久的に切り替わるのではなく、一定条件が成立したら元のパーマネント種別のワンタッチＳＣアイコンに切り替わる。即ち、テンポラリ種別の通常ＳＣアイコンに切り替えられた後、その通常ＳＣアイコンの無操作状態が一定時間継続した場合には、再びパーマネント種別のワンタッチＳＣアイコンに切り替わる。
【０１１５】
そのため、登録されているＳＣ機能を迅速に実行したいユーザと、一時的に通常ＳＣアイコンに切り替えて内容を確認あるいは変更等した上で実行させたいユーザと、の双方の使い勝手が向上される。
【０１１６】
（１ｂ）逆に、通常ＳＣアイコンを、一時的にワンタッチＳＣアイコンに切り替えて、登録されているＳＣ機能を実行させることができる。これにより、ユーザは、ＳＣアイコンをタップすることで、登録されているＳＣ機能を、さらなる入力操作を要求されることなく迅速に実行させることができる。
【０１１７】
この切り替えについても、パーマネント種別からテンポラリ種別への切り替えである場合は、恒久的に切り替わるのではなく、一定条件が成立したら元のパーマネント種別の通常ＳＣアイコンに切り替わる。即ち、テンポラリ種別のワンタッチＳＣアイコンに切り替えられた後、そのワンタッチＳＣアイコンの無操作状態が一定時間継続した場合には、再びパーマネント種別の通常ＳＣアイコンに切り替わる。
【０１１８】
そのため、登録されているＳＣ機能を内容を確認した上で実行させたいユーザと、一時的にワンタッチＳＣアイコンに切り替えて内容を確認することなく迅速に実行させたいユーザと、の双方の使い勝手が向上される。
【０１１９】
（１ｃ）待機画面２１にＳＣアイコンが表示される場合、ＳＣアイコンの種類に応じた切替ボタンが表示される。
具体的に、表示されるＳＣアイコンがワンタッチＳＣアイコンのみである場合は、切替ボタンとしてワンタッチボタン５０が表示される。これによりユーザは、現在表示されている待機画面２１内にＳＣアイコンが存在していてしかもそれらは全てワンタッチＳＣアイコンであることを容易に認識できる。そして、ワンタッチボタン５０をタップすることで、表示されている全てのワンタッチＳＣアイコンを通常ＳＣアイコンに容易に切り替えることができる。
【０１２０】
また、表示されるＳＣアイコンが通常ＳＣアイコンのみである場合は、切替ボタンとして、ワンタッチボタン５０とは意匠が異なる通常ボタン５５が表示される。これによりユーザは、現在表示されている待機画面２１内にＳＣアイコンが存在していて、それらは全て通常ＳＣアイコンであることを容易に認識できる。そして、通常ボタン５５をタップすることで、表示されている全ての通常ＳＣアイコンをワンタッチＳＣアイコンに容易に切り替えることができる。
【０１２１】
また、通常ＳＣアイコンとワンタッチＳＣアイコンが混在していてしかもそれらがＳＣペアのみではない場合は、切替ボタンとして、ワンタッチボタン５０及び通常ボタン５５のいずれとも意匠が異なるワンタッチ／通常ボタン６０が表示される。これによりユーザは、現在表示されている待機画面２１内にＳＣアイコンが複数存在していてしかもＳＣペアのみではないことを容易に認識できる。そして、ワンタッチ／通常ボタン６０をタップすることで、表示されている全てのＳＣアイコンに対する、ワンタッチＳＣアイコンから通常ＳＣアイコンへの切り替え及びその逆の切り替えを容易に実現できる。
【０１２２】
（１ｄ）複数のＳＣアイコンが表示されていて、しかもそれら複数のＳＣアイコンがＳＣペアのみである場合は、いずれの切替ボタンも表示されない。即ち、１つのＳＣペアは、１つのワンタッチＳＣアイコンと１つの通常ＳＣアイコンとの組み合わせであって、登録されているＳＣ機能自体は同じである。この場合、ワンタッチＳＣアイコンから通常ＳＣアイコンへの切り替え或いはその逆の切り替えを行う必要性は低いため、切替ボタンを表示しないようにすることで、待機画面２１をシンプルに構成することができる。
【０１２３】
なお、本実施形態において、選択状態にされているタブのタブ画面（つまり待機画面２１に表示されるタブ画面）は選択画面の一例に相当する。ワンタッチＳＣアイコンは第１のショートカットアイコンの一例に相当する。通常ＳＣアイコンは第２のショートカットアイコンの一例に相当する。Ｓ４６０における一定時間は特定の時間の一例に相当する。Ｓ１２０の処理は第１の表示処理の一例に相当する。Ｓ４２０〜Ｓ４４０を経て実行されるＳ１２０の処理は再表示処理の一例に相当する。Ｓ１５０，Ｓ２１０及びＳ３２０の処理は第２の表示処理の一例に相当する。Ｓ１７０，Ｓ２３０及びＳ３４０の処理は切替処理の一例に相当する。Ｓ４７０の処理は復帰処理の一例に相当する。Ｓ４８０で肯定判定された後に実行されるＳ１４０，Ｓ５２０又はＳ３１０の処理は判断処理の一例に相当する。
【０１２４】
［２．第２実施形態］
第１実施形態では、図４左に示すようにパーマネント種別の通常ＳＣアイコン及びワンタッチＳＣアイコンが表示されている場合に、ワンタッチ／通常ボタン６０がタップされた場合、パーマネント種別の各ＳＣアイコンがテンポラリ種別の異なるＳＣアイコンに切り替わった。
【０１２５】
これに対し、第２実施形態では、ワンタッチ／通常ボタン６０がタップされた場合、切り替え対象のＳＣアイコンをユーザに選択させて、その選択されたＳＣアイコンのみを切り替えることができる。
【０１２６】
図９を用いて具体的に説明する。図９左上は、図４左と全く同じ状態を示す。即ち、いずれもパーマネント種別の通常ＳＣアイコン及びワンタッチＳＣアイコンが表示されている。この状態において、ワンタッチ／通常ボタン６０がタップされると、図９右に示すように、ＳＣアイコン選択画面７０が表示される。
【０１２７】
ＳＣアイコン選択画面７０においては、選択状態のタブ画面に含まれているＳＣアイコンのみが表示され、他のアイコンは表示されない。また、ＳＣアイコン選択画面７０には、ユーザに対し、表示されているＳＣアイコンのうち切り替え対象のＳＣアイコンを選択するように促すガイダンスメッセージも表示される。
【０１２８】
ユーザは、ＳＣアイコン選択画面７０に表示されているＳＣアイコンの中から、切り替え対象のＳＣアイコンを１つ選択することができる。なお、複数のＳＣアイコンを選択できてもよい。
【０１２９】
ＳＣアイコン選択画面７０において切り替え対象のＳＣアイコンが選択されると、再び、選択状態のタブ画面を有する待機画面２１が表示される。このとき、ＳＣアイコン選択画面７０で選択されたＳＣアイコンは、テンポラリ種別の別のＳＣアイコンに切り替わって表示される。
【０１３０】
例えば、図９右上に示すＳＣアイコン選択画面７０において、第７アイコン４７としての通常ＳＣアイコンが選択されると、図９右下に示すように、第７アイコン４７が、パーマネント種別の通常ＳＣアイコンから、テンポラリ種別のワンタッチＳＣアイコンに切り替わる。
【０１３１】
また例えば、図９右上に示すＳＣアイコン選択画面７０において、第８アイコン４８としてのワンタッチＳＣアイコンが選択されると、図９左下に示すように、第８アイコン４８が、パーマネント種別のワンタッチＳＣアイコンから、テンポラリ種別の通常ＳＣアイコンに切り替わる。
【０１３２】
このような、ＳＣアイコン選択画面７０を介したＳＣアイコンの切り替えは、第１実施形態の表示制御処理において、図７のＳ３４０の処理を図１０に示す処理に変更することによって実現される。
【０１３３】
即ち、図１０に示すように、Ｓ３３０でワンタッチ／通常ボタン６０がタップされた場合、Ｓ５１０で、ＳＣアイコン選択画面７０を表示させる。Ｓ５２０では、ＳＣアイコン選択画面７０に表示されている何れかのＳＣアイコン対するユーザの選択操作を受け付ける。  なお、Ｓ５２０の処理は選択処理の一例に相当する。
【０１３４】
Ｓ５３０では、Ｓ５２０で選択されたＳＣアイコンの種類を切り替える。即ち、ワンタッチＳＣアイコンが選択された場合は通常ＳＣアイコンに切り替え、通常ＳＣアイコンが選択された場合はワンタッチＳＣアイコンに切り替える。このとき、ＳＣ種別についても、切り替え前のＳＣ種別がパーマネント種別である場合はテンポラリ種別に切り替え、切り替え前のＳＣ種別がテンポラリ種別である場合はパーマネント種別に切り替える。
【０１３５】
Ｓ５４０では、Ｓ５３０におけるＳＣ種別の切り替えが、パーマネント種別からテンポラリ種別への切り替えであった場合に、そのテンポラリ種別に切り替えられたＳＣアイコンに対する計時を開始する。
【０１３６】
Ｓ５５０では、表示されているＳＣアイコンがワンタッチＳＣアイコンのみであるか否か判断する。ワンタッチＳＣアイコンのみである場合は、Ｓ５６０に移行する。Ｓ５６０では、ワンタッチ／通常ボタン６０に代えてワンタッチボタン５０を表示させて、Ｓ３５０に移行する。
【０１３７】
Ｓ５５０で、表示されているＳＣアイコンがワンタッチＳＣアイコンのみではない場合は、Ｓ５７０に移行する。Ｓ５７０では、待機画面２１に含まれているＳＣアイコンが通常ＳＣアイコンのみであるか否か判断する。通常ＳＣアイコンのみである場合は、Ｓ５８０に移行する。Ｓ５８０では、ワンタッチ／通常ボタン６０に代えて通常ボタン５５を表示させて、Ｓ３５０に移行する。
【０１３８】
Ｓ５７０で、表示されているＳＣアイコンが通常ＳＣアイコンのみではない場合は、Ｓ３５０に移行する。
［３．他の実施形態］
以上、本発明の実施形態について説明したが、本発明は上述の実施形態に限定されることなく、種々変形して実施することができる。
【０１３９】
（３−１）切替ボタンがタップされることによってＳＣアイコンのＳＣ種別が一時的にテンポラリ種別に切り替わった後、一定時間が経過しなくても、切替ボタンを再びタップすることで、ＳＣ種別がパーマネント種別に戻る仕様であってもよい。
【０１４０】
例えば、図３左に示す例において、ワンタッチボタン５０がタップされると、第８アイコン４８が、パーマネント種別のワンタッチＳＣアイコンから、図３右上に示すように、テンポラリ種別の通常ＳＣアイコンに切り替わる。切替ボタンも、ワンタッチボタン５０から通常ボタン５５に切り替わる。このとき、無操作状態が一定時間継続しなくても、通常ボタン５５がタップされたら、図３左に示す元の状態に切り替わってもよい。
【０１４１】
（３−２）アイコン及び切替ボタンに対する選択操作は、タップ以外の他の入力操作であってもよい。
（３−３）待機画面２１におけるタブの数は、８以外であってもよい。また、待機画面２１は、タブ形式の画面でなくてもよい。
【０１４２】
（３−４）ワンタッチボタン５０、通常ボタン５５、及びワンタッチ／通常ボタン６０は、それぞれ、どのような意匠を有していてもよい。また、ワンタッチＳＣアイコンと通常ＳＣアイコンを視覚的に区別する方法についても、ワンタッチＳＣマーク５１と通常ＳＣマーク５６とで区別する方法とは異なる方法を採用してもよい。
【０１４３】
（３−５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１４４】
１０…画像処理装置、１１…制御部、１２…記憶部、１３…表示部、１４…入力部、１４ａ…タッチパネル、２１…待機画面、３１…第１タブ、３２…第２タブ、３３…第３タブ、３４…第４タブ、４０…第１タブ画面、４１…第１アイコン、４２…第２アイコン、４３…第３アイコン、４４…第４アイコン、４５…第５アイコン、４６…第６アイコン、４７…第７アイコン、４８…第８アイコン、５０…ワンタッチボタン、５１…ワンタッチＳＣマーク、５５…通常ボタン、５６…通常ＳＣマーク、６０…ワンタッチ／通常ボタン、７０…ＳＣアイコン選択画面、１００…確認画面。
【図１】
2019179380.tif 000003
【図２】
2019179380.tif 000004
【図３】
2019179380.tif 000005
【図４】
2019179380.tif 000006
【図５】
2019179380.tif 000007
【図６】
2019179380.tif 000008
【図７】
2019179380.tif 000009
【図８】
2019179380.tif 000010
【図９】
2019179380.tif 000011
【図１０】
2019179380.tif 000012